(57)【要約】  装飾用画像を表示する装飾用画像表示領域（２２ａ）を有する液晶表示装置（２０）において、装飾用画像表示領域（２２ａ）に装飾用画像を表示するとき、装飾用画像表示領域（２２ａ）の輝度が、５０ｃｄ／ｍ２以下である。
2010024053.tif 000002
【特許請求の範囲】
【請求項１】
画像を表示する画面を有する画像表示装置において、
前記画面に装飾用画像を表示するとき、その画面の輝度が、５０ｃｄ／ｍ２以下であることを特徴とする画像表示装置。
【請求項２】
前記画面に装飾用画像を表示するとき、その画面の輝度が、３０ｃｄ／ｍ２以下であることを特徴とする請求項１に記載の画像表示装置。
【請求項３】
前記画像表示装置は、バックライトと液晶表示部を備える液晶表示装置であって、
前記液晶表示部の背後には、バックライトが設けられており、
前記液晶表示部に装飾用画像を表示するとき、前記バックライトの輝度が、１５００ｃｄ／ｍ２以下であることを特徴とする請求項１又は２に記載の画像表示装置。
【請求項４】
前記バックライトは、その発光面内において輝度を異ならせることができるように構成されていることを特徴とする請求項３に記載の画像表示装置。
【請求項５】
前記画面の一部分に上記装飾用画像が表示され、
上記画面の中で上記装飾用画像が表示されている領域の画面の輝度と、上記画面の中で上記装飾用画像が表示されていない領域の画面の輝度とが、
上記バックライトにおける上記各領域に対応する上記発光面の輝度を異ならせることで、相違していることを特徴とする請求項４に記載の画像表示装置。
【請求項６】
前記バックライトには、バックライトの輝度を制御するバックライトユニット制御部が接続されており、
前記バックライトユニット制御部には、外光輝度センサー部が接続されており、
前記外光輝度センサー部がセンシングした外光輝度に応じて、前記バックライトユニット制御部がバックライトの輝度を制御することで、前記画面の輝度が制御されていることを特徴とする請求項３から５のいずれか１項に記載の画像表示装置。
【請求項７】
前記外光輝度センサー部がセンシングした外光輝度が１００ｃｄ／ｍ２以下のとき、
前記バックライトユニット制御部は、画面の輝度が３０ｃｄ／ｍ２以下となるように、バックライトの輝度を制御することを特徴とする請求項６に記載の画像表示装置。
【請求項８】
前記バックライトには光源が備えられており、
前記光源にＬＥＤが用いられていることを特徴とする請求項３から７のいずれか１項に記載の画像表示装置。
【請求項９】
請求項１から８のいずれか１項に記載された画像表示装置が備えられたテレビジョン受像機。
【請求項１０】
画像を表示する画面を有する画像表示装置の駆動方法において、
前記画面の少なくとも一部分に装飾用画像を表示するとき、装飾用画像が表示された当該画面の輝度を５０ｃｄ／ｍ２以下にすることを特徴とする画像表示装置の駆動方法。
【請求項１１】
外光輝度が１００ｃｄ／ｍ２以下のとき、
装飾用画像が表示された前記画面の輝度を、３０ｃｄ／ｍ２以下にすることを特徴とする請求項１０に記載の画像表示装置の駆動方法。
【請求項１２】
画像を表示する画面を有する画像表示装置が備えられたテレビジョン受像機の駆動方法において、
前記画面の少なくとも一部分に装飾用画像を表示するとき、装飾用画像が表示された当該画面の輝度を５０ｃｄ／ｍ２以下にすることを特徴とするテレビジョン受像機の駆動方法。
【発明の詳細な説明】
【技術分野】
【０００１】
本発明は、絵画や写真などの装飾用画像を表示する表示モードが備えられた画像表示装置、テレビジョン受像機、画像表示装置の駆動方法、及び、テレビジョン受像機の駆動方法に関するものである。
【背景技術】
【０００２】
近年、家庭用の電子機器などにおいては、そのデザイン性を生かし、非使用時などにインテリアの一部として活用できるような製品の開発が要求されている。【０００３】
中でも、モニターなどとして使用される液晶表示装置や、液晶表示装置にチューナーなどテレビジョン視聴に必要な機能が付加されたテレビジョン受像機は、昨今の大型化にともないその存在感が大きくなっており、前記要求がより強くなっている。【０００４】
そこで、例えば、テレビジョン受像機では、フレーム構造体の色を選択可能とするなどにより、そのインテリア性を向上させる試みなどがなされている。【０００５】
しかし、テレビジョン受像機では、その外観の大部分を占める画面から受ける印象が強く、前記試みのみでは、インテリア性の向上には限度がある。【０００６】
そこで、テレビジョン受像機の画面に関する改良が望まれている。【０００７】
以下、前記液晶表示装置が備えられたテレビジョン受像機を例にして、具体的に説明する。【０００８】
前記液晶表示装置が用いられたテレビジョン受像機は、その軽薄性から、壁に設置される場合がある。【０００９】
また、前記液晶表示装置の画面は、表示がなされていないときには、全面黒色である。【００１０】
そのため、例えば、壁に設置されたテレビジョン受像機の電源が切断されているときや画像データが入力されないとき、つまり、放送やビデオなどの画像データを表示するというテレビジョン受像機本来の機能が使用されない時などには、画面の表示がなされず、壁に黒い物体が存在することになる。【００１１】
そして、この壁の黒い物体により、インテリア性を損ねることにもなる。さらに、最近のテレビジョン受像機の大型化にともない、よりインテリア性を損ねることとなる。【００１２】
そこで、放送やビデオなどの画像データを表示するというテレビジョン受像機本来の機能が使用されない時などに静止画像を表示することなどが提案されている。【００１３】
（特許文献１）
この静止画像を表示することに関連する技術としては、例えば、特許文献１に記載の技術がある。【００１４】
特許文献１には、動画像を表示するときと、静止画像を表示するときとで輝度を変える技術が記載されている。【００１５】
具体的には、ビデオ映像などの動画像を表示するときには画面を高輝度とし、パーソナルコンピューターなどの静止画像を表示するときには画面を低輝度にする技術が記載されている。
【先行技術文献】
【特許文献】
【００１６】
【特許文献１】日本国公開実用新案公報「実開平６−４７９８９号公報（公開日：１９９４年６月２８日）」
【発明の概要】
【発明が解決しようとする課題】
【００１７】
しかしながら、上記特許文献１に記載の技術では、静止画像として表示された絵画や写真を本物らしく見せることについて全く考慮されていない。【００１８】
すなわち、前記特許文献１には、静止画像を表示するときに画面を低輝度にすることが記載されているものの、その目的は、低消費電力や、目の疲労の低減である。【００１９】
そして、このような目的が前提であるため、制御される輝度の範囲は、あくまで映像の表示が可能な輝度範囲内である。具体的には、かかる範囲内で、バックライトの出力にバイアスが付加されることにより、その輝度が制御されるものである。【００２０】
しかしながら、前記のような輝度制御では、絵画などを本物らしく見せることが困難である。【００２１】
すなわち、テレビジョン受像機における画面に、絵画などの静止画像を表示した場合、バックライトの輝度を低輝度としても、その輝度が前記のような映像の表示を前提とした輝度範囲内である場合には、前記絵画などは、紙などに描かれた実際の描写体としてではなく、映し出された映像として認識される。【００２２】
そのため、絵画などを本物らしく見せることができず、観者は違和感を持ってしまう。【００２３】
これは、放送などによる動画像が表示されているテレビジョン受像機を見ているとき、観者は、画面における発光色を見ているのに対し、本物の絵画や写真などを見ているときは、観者は、その反射色を見ているためである。すなわち、通常反射色で見ている絵画などを、発光色で見るために、観者は前記違和感を持ち、本物らしく感じることができない。【００２４】
以上のように、前記従来技術では、絵画などを、本物らしく表示することは困難である。【００２５】
そこで、本発明は、前記の問題点に鑑みてなされたものであり、その目的は、絵画などの装飾用画像を本物らしく表示することができる画像表示装置、テレビジョン受像機、画像表示装置の駆動方法、及び、テレビジョン受像機の駆動方法を提供することにある。
【課題を解決するための手段】
【００２６】
本発明の画像表示装置は、前記課題を解決するために、画像を表示する画面を有する画像表示装置において、前記画面に装飾用画像を表示するとき、その画面の輝度が、５０ｃｄ／ｍ２以下であることを特徴とする。【００２７】
前記の構成によれば、装飾用画像を表示するときの画面の輝度（画面輝度）が極めて低い。そのため、テレビジョン受像機の観者には、発光色ではなく、反射色を見ているように感じられる。言い換えると、映し出された映像ではなく、紙などに描かれた実物を見ているように感じられる。【００２８】
よって、装飾用画像を本物らしく表示することができる画像表示装置を提供できる。【００２９】
そして、放送やビデオなどの画像データが外部から入力されない時の画像表示装置を装飾用画像表示物として利用することができる。【００３０】
なお、前記装飾用画像とは、絵画や写真などの装飾を目的とした画像を意味する。ここで、絵画とは、例えば紙やカンバスなどに描かれたり印刷されたりした絵などを意味する。また、写真とは、例えば、紙などに印画されたり印刷されたりした写真なども含む。【００３１】
また、本発明の画像表示装置は、前記画面に装飾用画像を表示するとき、その画面の輝度を、３０ｃｄ／ｍ２以下とすることができる。【００３２】
前記の構成によれば、画面輝度が３０ｃｄ／ｍ２以下であるので、例えば外光輝度が１００ｃｄ／ｍ２以下のように暗いときでも、画面に表示された装飾用画像が、紙などに描かれた実物を見ているように感じられやすくなる。【００３３】
また、本発明の画像表示装置は、前記画像表示装置は、バックライトと液晶表示部を備える液晶表示装置であって、前記液晶表示部の背後には、バックライトが設けられており、前記液晶表示部に装飾用画像を表示するとき、前記バックライトの輝度を、１５００ｃｄ／ｍ２以下とすることができる。【００３４】
前記の構成によれば、画面輝度の制御が、バックライトの輝度制御で行われている。【００３５】
そのため、全体的に暗い表示であっても、滑らかな階調表示を維持することが容易になる。【００３６】
また、画面輝度が極めて低いので、超低消費電力での表示が可能となる。【００３７】
また、本発明の画像表示装置は、前記バックライトは、その発光面内において、輝度を異ならせることができるように構成することができる。【００３８】
また、本発明の画像表示装置は、前記画面の一部分に上記装飾用画像が表示され、上記画面の中で上記装飾用画像が表示されている領域の画面の輝度と、上記画面の中で上記装飾用画像が表示されていない領域の画面の輝度とを、上記バックライトにおける上記各領域に対応する上記発光面の輝度を異ならせることで、相違させることができる。【００３９】
前記の構成によれば、バックライトが、その発光面内において、異なる輝度の光を出射すること可能なように構成されている。すなわち、いわゆるローカル・ディミングが可能なバックライトとして構成されている。【００４０】
そのため、例えば、画面の一部分にのみ装飾用画像を表示するときでも、必要な部分においてのみ、バックライトの発光面からの出射光の輝度を所望の値に制御することができる。【００４１】
また、発光面内において輝度を異ならせることができるので、例えば表示される装飾用画像に応じて、その画像内で輝度を変化させることができる。そのため、特に暗い表示を行う場合においても、画質のメリハリを向上させたり、画像のコントラストを向上させたりすることが容易になる。【００４２】
また、画面内において輝度がそれほど必要ではない部分に対応する発光面の輝度を下げることで、低消費電力化を図ることも容易になる。【００４３】
また、本発明の画像表示装置は、前記バックライトには、バックライトの輝度を制御するバックライトユニット制御部が接続されており、前記バックライトユニット制御部には、外光輝度センサー部が接続されており、前記外光輝度センサー部がセンシングした外光輝度に応じて、前記バックライトユニット制御部がバックライトの輝度を制御することで、前記画面の輝度が制御されていることとできる。【００４４】
前記の構成によれば、画面輝度が外光の明るさに応じて制御されるので、画像表示装置の視聴環境が変化しても、装飾用画像を実物らしく見せることが容易になる。【００４５】
また、本発明の画像表示装置は、前記外光輝度センサー部がセンシングした外光輝度が１００ｃｄ／ｍ２以下のとき、前記バックライトユニット制御部は、画面の輝度が３０ｃｄ／ｍ２以下となるように、バックライトの輝度を制御することとできる。【００４６】
前記の構成によれば、外光輝度が１００ｃｄ／ｍ２以下と低い場合、画面の輝度がさらに低い３０ｃｄ／ｍ２以下とされる。【００４７】
したがって、外光輝度が低い場合でも、画面に表示された装飾用画像を本物らしく見せることが容易になる。【００４８】
また、本発明の画像表示装置は、前記バックライトには光源が備えられており、前記光源にＬＥＤが用いることができる。【００４９】
前記の構成によれば、光源としてＬＥＤ（Ｌｉｇｈｔ  Ｅｍｉｔｔｉｎｇ  Ｄｉｏｄｅ：発光ダイオード）を使用する事により、ＣＣＦＬ（Ｃｏｌｄ  Ｃａｔｈｏｄｅ  Ｆｌｕｏｒｅｓｃｅｎｔ  Ｌａｍｐ：冷陰極管）では難しかった低輝度の調光が可能になると共に、色再現範囲が広い為、より本物に近い表示が可能となる。【００５０】
また、バックライトを、いわゆるローカル・ディミングが可能な構成にすることが容易になる。【００５１】
また、本発明のテレビジョン受像機は、前記画像表示装置が備えられたものとできる。【００５２】
前記の構成によれば、絵画などの装飾用画像が本物らしく表示され、美観上邪魔になりにくいテレビジョン受像機を提供することができる。【００５３】
ここで、テレビジョン受像機とは、例えば前記液晶表示装置にチューナー部など、テレビジョン放送受信のために必要な部分が搭載されたもの、又は、搭載されていないが有線もしくは無線で接続されたものを意味する。【００５４】
また、本発明の画像表示装置の駆動方法は、前記課題を解決するために、画像を表示する画面を有する画像表示装置の駆動方法において、前記画面の少なくとも一部分に装飾用画像を表示するとき、装飾用画像が表示された当該画面の輝度を５０ｃｄ／ｍ２以下にすることを特徴とする。【００５５】
前記の方法によれば、装飾用画像が実物を見ているように感じられる。よって、美観上邪魔になりにくい画像表示装置の駆動方法を提供することができる。【００５６】
また、本発明の画像表示装置の駆動方法は、外光輝度が１００ｃｄ／ｍ２以下のとき、装飾用画像が表示された前記画面の輝度を、３０ｃｄ／ｍ２以下にすることができる。【００５７】
前記の方法によれば、外光輝度が暗いときでも、画面に表示された装飾用画像が実物のように感じられやすくなる。【００５８】
また、本発明のテレビジョン受像機の駆動方法は、前記課題を解決するために、画像を表示する画面を有する画像表示装置が備えられたテレビジョン受像機の駆動方法において、前記画面の少なくとも一部分に装飾用画像を表示するとき、装飾用画像が表示された当該画面の輝度を５０ｃｄ／ｍ２以下とすることを特徴とする。【００５９】
前記の方法によれば、装飾用画像が実物のように感じられやすくなる。よって、美観上邪魔になりにくいテレビジョン受像機の駆動方法を提供することができる。
【発明の効果】
【００６０】
本発明の画像表示装置は、以上のように、画面に装飾用画像を表示するとき、その画面の輝度が５０ｃｄ／ｍ２以下である。【００６１】
また、本発明の画像表示装置の駆動方法は、画面の少なくとも一部分に装飾用画像を表示するとき、装飾用画像が表示された当該画面の輝度を５０ｃｄ／ｍ２以下にする方法である。【００６２】
また、本発明のテレビジョン受像機の駆動方法は、画面の少なくとも一部分に装飾用画像を表示するとき、装飾用画像が表示された当該画面の輝度を５０ｃｄ／ｍ２以下にする方法である。【００６３】
それゆえ、絵画などの装飾用画像を本物らしく表示することができるという効果を奏する。
【図面の簡単な説明】
【００６４】
【図１】本発明の実施の形態を示すものであり、液晶表示装置の概略構成を示すブロック図である。
【図２】本発明の実施の形態を示すものであり、輝度制御に関するブロック図である。
【図３】本発明の実施の形態を示すものであり、輝度制御に関するフローチャートを示す図である。
【図４】本発明の実施の形態を示すものであり、外光輝度と画面輝度との関係を示す図である。
【図５】本発明の実施の形態を示すものであり、外光輝度と画面輝度との関係を示す図である。
【図６】本発明の実施の形態を示すものであり、外光輝度と画面輝度との関係を示す図である。
【図７】本発明の実施の形態の液晶表示装置の画面の様子を示す図であり、（ａ）は画面全体に絵画が表示された様子を示し、（ｂ）は画面の一部分に絵画が表示された様子を示している。
【発明を実施するための形態】
【００６５】
本発明の一実施の形態について図に基づいて説明すると以下の通りである。
【００６６】
（液晶表示装置）
図１は、本発明の実施の形態を示すものであり、液晶表示装置（画像表示装置）２０の概略構成を示すブロック図である。
【００６７】
前記図１に示すように、本実施の形態の液晶表示装置２０は、液晶モジュール３０、バックライトユニット５０、及び、センサー・制御部７０をその主要構成要素としている。以下、順に説明する。
【００６８】
（液晶モジュール）
まず、液晶モジュール３０について説明する。前記液晶モジュール３０には、表示面４２を有する液晶表示パネル４０と、前記液晶表示パネル４０に画像を表示させるための信号を入力する走査線駆動回路４４及び信号線駆動回路４６とが備えられている。そして、前記液晶表示パネル４０の表示面４２が前記液晶表示装置２０の画面２２を構成している。
【００６９】
また、液晶表示パネル４０には、前記走査線駆動回路４４から引き出された複数本の走査線（図示せず）と、前記信号線駆動回路４６から引き出された複数本の信号線（図示せず）とが、マトリクスを形成するように配設されている。
【００７０】
すなわち、本実施の形態の液晶表示パネル４０は、いわゆるアクティブマトリクス型に構成されており、複数の画素を備えている。そして、各画素には、スイッチング素子としてのＴＦＴ（Ｔｈｉｎ  Ｆｉｌｍ  Ｔｒａｎｓｉｓｔｏｒ：薄膜トランジスタ）素子（図示せず）が設けられている。
【００７１】
また、前記液晶表示パネル４０には、いわゆるカラーフィルターが設けられており、カラー表示が可能となっている。
【００７２】
なお、前記液晶表示パネル４０の構成は、前記アクティブマトリクス型に限定されず、種々の構成を採用することができる。
【００７３】
（バックライトユニット）
つぎに、バックライトユニット５０について説明する。このバックライトユニット５０は、前記液晶モジュール３０の背後に設けられている。そして、前記バックライトユニット５０には、発光面６２を有するバックライト６０と、前記バックライト６０を駆動するためのバックライト駆動回路６４とが備えられている。
【００７４】
また、本実施の形態のバックライトユニット５０は、いわゆるローカル・ディミングが可能なように構成されている。ここで、ローカル・ディミングとは、前記発光面内において、所定の領域毎に輝度を異ならせることができることを意味する。
【００７５】
このような、ローカル・ディミングが可能な構成としては、例えば、バックライト６０の構成部材の１つである導光板を複数個に分割し、分割された各導光板に各々光源を配置する構成が挙げられる。そして、前記各光源を独立に制御することで、発光面内において、輝度を異ならせることができる。
【００７６】
なお、前記バックライトユニット５０の構成は、前記構成に限定されるものではない。すなわち、必ずしも、前記ローカル・ディミングが可能な構成とする必要はなく、発光面内において、均一な輝度の光を発光するように構成することもできる。
【００７７】
また、ローカル・ディミングが可能な構成とする場合であっても、前記導光板を分割する構成以外の方法で、ローカル・ディミングを可能とすることもできる。
【００７８】
また、前記光源としては、赤色・緑色・青色のＬＥＤ（Ｌｉｇｈｔ  Ｅｍｉｔｔｉｎｇ  Ｄｉｏｄｅ：発光ダイオード）を用いることができる。光源としてＬＥＤを用いた場合には、消費電力の低減が容易となるともに、低輝度での点灯が容易になる。そして、色再現範囲が広いこととあいまって、低階調から滑らかな階調表現が可能となり、より物体色に近い違和感の少ない表示が可能になる。また、前記ＬＥＤの点灯を、表示画像に連動して、面内で変化させることで、コントラストを高めるとともに、消費電力の更なる低減を行うことが可能となる。
【００７９】
なお、光源は前記ＬＥＤに限定されるものではなく、例えば、冷陰極管（ＣＣＦＬ：Ｃｏｌｄ  Ｃａｔｈｏｄｅ  Ｆｌｕｏｒｅｓｃｅｎｔ  Ｌａｍｐ）等の蛍光管、その他の光源を用いることもできる。
【００８０】
（センサー・制御部）
つぎに、センサー・制御部７０について説明する。このセンサー・制御部７０は、外光輝度をセンシングしたり、そのセンシングした外光輝度に基づいて、液晶モジュール３０やバックライトユニット５０を制御したりする部分である。
【００８１】
具体的には、センサー・制御部７０には、主に、外光輝度センサー部１１０と、前記外光輝度センサー部１１０に接続された画像データ算出部８０とが設けられている。
【００８２】
そして、前記画像データ算出部８０には、前記液晶モジュール３０を制御する液晶モジュール制御部８２と、前記バックライトユニット５０を制御するバックライトユニット制御部８４とが接続されている。
【００８３】
そして、前記液晶モジュール制御部８２は、先に説明した液晶モジュール３０の走査線駆動回路４４及び信号線駆動回路４６に接続されている。
【００８４】
また、前記バックライトユニット制御部８４は、先に説明したバックライトユニット５０のバックライト駆動回路６４に接続されている。
【００８５】
以下、前記センサー・制御部７０のより詳細な構成や、その具体的な制御方法について、図２及び図３に基づいて説明する。
【００８６】
（輝度制御のブロック図）
図２は、本実施の形態の液晶表示装置における輝度制御に関するブロック図である。
【００８７】
前記図２では、先に図１に基づいて説明したセンサー・制御部７０の構成がより詳しく示されている。
【００８８】
すなわち、前記画像データ算出部８０には、前記外光輝度センサー部１１０が接続されているのみならず、画像に関するデータや、表示モードの切り換えに関する情報の入力が可能なように構成されている。
【００８９】
（画像データ）
具体的には、まず画像データ入力部９０が、入力画像記憶部９２を介して前記画像データ算出部８０に接続されている。
【００９０】
ここで、前記画像データ入力部９０は、例えば絵画や写真などの装飾用画像の入力を受ける部分である。
【００９１】
また、前記入力画像記憶部９２は、前記画像データ入力部９０に入力された装飾用画像の画像データを記憶する部分である。
【００９２】
なお、テレビ放送の画像は、通常前記入力画像記憶部９２には記憶されない。
【００９３】
（表示モード）
また、前記画像データ算出部８０には、表示モード切り換え操作部１００が接続されている。
【００９４】
ここで、前記表示モード切り換え操作部１００は、液晶表示装置２０の表示モードを、通常のテレビモードと装飾用画像が表示されるピクチャーモードとの間で切り換えるための操作部である。
【００９５】
なお、前記テレビモードとは、液晶表示装置２０にテレビ放送やビデオ再生などによる動画像が表示されている表示モードを意味する。すなわち、通常のテレビとして使用する表示モードを意味する。
【００９６】
これに対して前記ピクチャーモードとは、美観の観点から画面に絵画や写真などの装飾用画像を表示させる表示モードを意味する。
【００９７】
（輝度センサー）
また、前記画像データ算出部８０には、先に図１に基づいて説明した外光輝度センサー部１１０が、外光輝度読み取り・記憶部１１２を介して接続されている。
【００９８】
ここで、外光輝度センサー部１１０には、液晶表示装置２０が置かれた位置近傍の輝度を測定するためのセンサーが備えられている。
【００９９】
そして、前記センサーがセンシングした外光輝度を、前記外光輝度読み取り・記憶部１１２が読み取り、そして記憶する。
【０１００】
以上のようにして、前記センサーで外光輝度を測定し、その測定結果が記憶される。これで、液晶表示装置２０の画面輝度の制御の１つの要素となる、液晶表示装置２０の視聴環境における明るさに関する情報を得ることができる。
【０１０１】
（画像データ算出部）
そして、前記画像データ算出部８０は、前記画像データ、前記表示モード及び外光輝度情報に基づいて、液晶モジュール制御部８２及びバックライトユニット制御部８４に出力する画像データや輝度情報などを算出する。
【０１０２】
なお、この液晶モジュール制御部８２とバックライトユニット制御部８４とは、先に図１に基づいて説明したとおり、各々、液晶モジュール３０とバックライトユニット５０に接続されている。
【０１０３】
（フローチャート）
つぎに、前記図３に基づいて、本実施の形態の液晶表示装置２０における画面の輝度制御の流れを順に説明する。
【０１０４】
＜Ｓ１＞
最初、液晶表示装置２０の観者などの液晶表示装置２０の使用者が表示モードとしてピクチャーモードを選択することで、フローが開始される。
【０１０５】
＜Ｓ２＞
画像データ算出部８０は、外光輝度のセンシング、すなわち視聴環境の明るさのセンシングがＯＮ（外光輝度センサーがＯＮ）になっているか否かを判断する。
【０１０６】
そして、外光輝度センサーがＯＮになっている場合には、Ｓ３に進み、センシングされた外光輝度を読み込む。
【０１０７】
一方、外光輝度センサーがＯＮではない場合には、前記Ｓ６に進む。すなわち、先に説明したとおり、Ｓ６においては、外光輝度以外の情報である入力画像情報から、光源としての前記バックライト点灯データが算出される。
【０１０８】
＜Ｓ３＞
前記Ｓ２において、外光輝度センサーがＯＮであると判断された場合には、前記画像データ算出部８０は、センサーがセンシングした外光輝度を読み込む。
【０１０９】
具体的には、前記外光輝度センサー部１１０のセンサーがセンシングした外光輝度が、前記外光輝度読み取り・記憶部１１２を介して、前記画像データ算出部８０に入力される。
【０１１０】
＜Ｓ４＞
そして、Ｓ４では、前記画像データ算出部８０は、入力された前記外光輝度に、変化があるか否かを判断する。
【０１１１】
前記判断において、外光輝度に変化があると判断された場合には、Ｓ５に進む。
【０１１２】
一方、外光輝度に変化がないと判断された場合には、バックライト点灯データを再度算出し直す必要がないため、後に説明するＳ８及びＳ９に進む。
【０１１３】
なお、前記説明は、ループ処理における２回目以降読み込みに関するものであり、読み込み１回目は、外光輝度に変化ありとして、Ｓ５に進む。
【０１１４】
＜Ｓ５＞
Ｓ４において外光輝度に変化があると判断された場合、及び、前記ループ処理における１回目では、入力画像情報と前記読み込まれた外光輝度とを基にして、バックライト点灯データを算出する。具体的には、画面の輝度が所定の輝度となるようにバックライト点灯データを算出する。
【０１１５】
＜Ｓ６＞
つぎに、Ｓ６について説明する。このＳ６は、先に説明した通り、Ｓ２において、外光輝度センサーがＯＮではない場合に実行される。
【０１１６】
このＳ６は、バックライト点灯データを算出する点では、前記Ｓ５と同様である。ただし、その基となるデータの中に、前記外光輝度が含まれていない点が相違する。
【０１１７】
これは、Ｓ６が実行される場合は、外光輝度センサーがＯＮでないために、外光輝度がセンシングされていないためである。
【０１１８】
そして、装飾用画像に応じて予め決められたバックライト点灯データ（輝度）を導き出す。このときの輝度は、テレビモードにおける輝度よりも低く設定される。
【０１１９】
＜Ｓ７＞
つぎに、Ｓ７について説明する。Ｓ７では、前記Ｓ５又はＳ６で算出されたバックライト点灯データとの関連において、液晶モジュールに出力される画像（パネル側の画像）が生成される。
【０１２０】
＜Ｓ８、Ｓ９＞
以上Ｓ７までのステップにおいて算出・生成されたデータに基づいて、液晶モジュールに画像が表示されるとともに、バックライトユニットにおいてバックライトが点灯される。
【０１２１】
これにより、所望の画面輝度で、画像を表示することが可能となる。
【０１２２】
＜Ｓ１０＞
最後にＳ１０は、終了のステップである。
【０１２３】
なお、本フローにおいては、例えば、画像表示後に所定の時間が経過すると、外光輝度センサーの値を再度読み込み、再度バックライト点灯データなどを算出するような、ループ処理（反復処理）を可能とすることもできる。具体的には、例えば、前記Ｓ８・Ｓ９の後に、再び、Ｓ２に戻るようなフローとすることができる。
【０１２４】
このようなループ処理が可能な構成とすることで、視聴環境の変化を適切に感知し、より外光輝度などの視聴環境に適した高品位の表示を実現することができる。
【０１２５】
また、前記ループ処理においては、外光輝度に変化がない場合に、バックライト点灯データなどの算出を省くことができる。
【０１２６】
具体的には、例えば、先述のとおり、前記Ｓ４において、外光輝度に変化がないと判断された場合には、バックライト点灯データなどを再度算出し直す必要がなく、再度の処理を省略することができる。そして、従前のバックライト点灯データ及びＬＣＤ表示画像のデータに基づいて、液晶モジュールに画像を表示するとともに、バックライトユニットにおいて、バックライトを点灯させることができる。
【０１２７】
なお、前記Ｓ２からＳ７までのステップは、上述のように、前記センサー・制御部７０の画像データ算出部８０で実行される。
【０１２８】
また、テレビモードでは、従来通りの画像データの算出を行えば良い。
【０１２９】
また、テレビモードの場合でも、外光輝度センサーを利用して、外光輝度に応じて表示輝度を変えることができるように構成することもできる。その場合、テレビモードにおける外光輝度センサーと、ピクチャーモードにおける外光輝度センサーとを、１つの外光輝度センサーで共用することができる。
【０１３０】
つまり、ピクチャーモードの外光輝度センサーとして新しい部品を追加することなく、テレビモードで使用する外光輝度センサーを兼用することができる。
【０１３１】
（画面輝度）
本実施の形態の液晶表示装置２０では、その表示モードが、装飾用画像を表示するモードであるピクチャーモードであるときに、画面２２の画面輝度が、５０ｃｄ／ｍ２以下、特には３０ｃｄ／ｍ２以下であることを特徴とする。
【０１３２】
これは、通常のテレビジョン受像機などの画面輝度が４５０ｃｄ／ｍ２以上であり、シアター向けなどの用途として画面輝度がおさえられたものでも、２００ｃｄ／ｍ２以上であることと比較すると、極めて低い画面輝度であるといえる。
【０１３３】
なお、前記画面輝度を実現する際、バックライトの輝度は、１５００ｃｄ／ｍ２とした。このバックライトの輝度は、１０００ｃｄ／ｍ２であることが更に好ましい。
【０１３４】
また、前記フローチャートに例示した外光輝度のセンシングをともなう画面輝度の制御を行うと、視聴環境、特には、外光輝度に応じてよりきめ細かい画面輝度の制御を行うことができる。
【０１３５】
具体的には、例えば、日本／アジアの視聴環境と、欧州／米州の視聴環境とは異なる場合がある。そして、前記視聴環境の相違に起因して最適な画面輝度が異なる場合がある。
【０１３６】
すなわち、日本／アジアの視聴環境は、一般的に明るく、画面輝度も比較的高い方が見やすい。
【０１３７】
詳しくは、日本などの視聴環境は、照明は直接照明であり、その照明には蛍光灯が用いられる場合が多い。そして、外光輝度は２００〜３００ｌｘ程度、画面の正面は１００ｌｘ程度である場合が多い。
【０１３８】
このような視聴環境において、絵画などを表示する場合には、画面輝度は、２０〜３０ｃｄ／ｍ２が好ましい。このような画面輝度では、発光体であることを感じさせないようにでき、使用されていない液晶表示装置の存在感を消しやすくなる。
【０１３９】
また、写真などを表示する場合には、画面輝度は、１００ｃｄ／ｍ２とすることもできる。このような画面輝度では、ある程度の鮮やかさや、コントラスト感を維持しやすく、液晶表示装置を写真表示装置（フォトビューアー）として使うことに適している。
【０１４０】
一方、欧州／米州における視聴環境では、前記好ましい画面輝度異なってくる。
【０１４１】
すなわち、欧州／米州の視聴環境は、一般的に暗く、画面輝度も比較的暗い方が見やすい。
【０１４２】
詳しくは、欧州などの視聴環境は、照明は間接照明であり、その照明には白熱灯が用いられる場合が多い。そして、外光輝度（室内輝度）は１０〜３０ｌｘ程度、画面の正面は１０〜３０ｌｘ程度である場合が多い。
【０１４３】
このような視聴環境において、絵画などを表示する場合には、画面輝度は、１０〜１５ｃｄ／ｍ２が好ましい。
【０１４４】
一方、写真などを表示する場合には、画面輝度は、５０ｃｄ／ｍ２が好ましい。
【０１４５】
また、液晶表示装置を同じ場所に設置している場合においても、照明の点灯・消灯や、時間などで外光輝度が変化し、それにともなって最適な画面輝度が変化する場合もある。
【０１４６】
そのような場合に、画面輝度が、外光輝度に応じて、自動的に最適な値に設定されるようにしていると、観者は、常時最適な輝度の画面を観ることが容易になる。
【０１４７】
そして、例えば、先に図３に基づいて説明した、フローチャートに基づけば、画面輝度を自動制御することができる。
【０１４８】
（輝度制御例）
つぎに、本実施の形態の液晶表示装置２０における輝度制御の例について、図４から図６に基づいて説明する。言い換えると、前記図３に示したフローチャートにおけるバックライト点灯データの算出例について説明する。
【０１４９】
ここで、図４から図６は、いずれも本発明の実施の形態を示すものであり、外光輝度と画面輝度との関係を示す図である。また、図４から図６において、横軸は外光輝度を示し、縦軸は画面輝度を示している。また、図４から図６において、黒ひし形は絵画を示し、黒四角は写真を示している。
【０１５０】
（制御例１）
まず、図４に基づいて、視聴環境の中でも特に外光輝度の明るさとともに、画面輝度も変化する例について説明する。
【０１５１】
図４の黒ひし形の線が示すように、絵画を表示する際の画面輝度は、外光輝度上昇にともなって、緩やかに増加している。
【０１５２】
ここで、外光輝度の上昇にともなう画面輝度の増加のさせ方については、特には限定されない。例えば、図４の片矢印線に示すような、直線の近似線や、曲線の近似線、ステップ型の増加パターン、ルックアップテーブルからの読み出しなど、種々の方法を用いることができる。
【０１５３】
また、黒四角の線が示す写真についても、外光輝度の上昇にともなって、画面輝度が上昇する。
【０１５４】
なお、前記画面輝度は、必ずしも外光輝度の変化にともなって変化させる必要はなく、例えば、５０ｃｄ／ｍ２以下や３０ｃｄ／ｍ２以下に固定することもできる。
【０１５５】
（制御例２）
つぎに、図５に基づいて、外光輝度が一定の明るさ以上になると、一定の画面輝度を保つ例について説明する。
【０１５６】
すなわち、黒ひし形の線における領域Ｒ１に示すように、外光輝度が１００ｃｄ／ｍ２以上になった場合、画面輝度が２０ｃｄ／ｍ２に保たれている。
【０１５７】
このような制御を行うことで、必要以上に明るい表示となることを抑え、より実物らしい表示とすることができる。
【０１５８】
（制御例３）
つぎに、図６に基づいて、外光輝度が一定の明るさ以下になると、一定の画面輝度を保つ例について説明する。
【０１５９】
すなわち、黒ひし形の線における領域Ｒ２に示すように、外光輝度が３０ｃｄ／ｍ２以下になった場合、画面輝度が１２ｃｄ／ｍ２に保たれている。
【０１６０】
このような制御を行うことで、外光が暗い中でも、ある一定の視認性を確保することが可能となる。
【０１６１】
（画面例）
つぎに、図７の（ａ）及び（ｂ）に基づいて、前記液晶表示装置２０の表示について説明する。図７の（ａ）及び（ｂ）は、本実施の形態の液晶表示装置２０の画面２２の様子を示す図であり、（ａ）は画面２２の全体に絵画が表示された様子を示し、（ｂ）は画面２２の一部分に絵画が表示された様子を示している。
【０１６２】
本実施の形態の液晶表示装置２０では、表示モードとしてピクチャーモードが選択された場合、画面２２には、絵画などの装飾用画像が表示される。
【０１６３】
その際、装飾用画像は、図７の（ａ）に示すように、画面２２の全体に表示されるようにしてもよいし、又は、図７の（ｂ）に示すように、画面２２の一部分のみに表示されるようにしてもよい。
【０１６４】
そして、画面２２の全体に装飾用画像が表示される場合には、前記図７の（ａ）に示すように、画面２２の全体が装飾用画像表示領域２２ａとなる。そして、この装飾用画像表示領域２２ａの画面輝度が、外光輝度との相関をとりながら、５０ｃｄ／ｍ２以下や３０ｃｄ／ｍ２以下に設定される。
【０１６５】
また、画面２２の全体ではなく、その一部分に装飾用画像が表示される場合には、前記図７の（ｂ）に示すように、画面２２の全体の中の一部分が装飾用画像表示領域２２ａとなる。そして、この装飾用画像表示領域２２ａの画面輝度が、前記と同様に、５０ｃｄ／ｍ２以下や３０ｃｄ／ｍ２以下に設定される。
【０１６６】
ここで、前記図７の（ｂ）に示すように、画面２２の一部分に装飾用画像が表示される場合には、前記バックライトユニット５０が、先に説明した、ローカル・ディミングが可能なように構成されていると、低消費電極で効率的な輝度制御が可能となる。
【０１６７】
これは、ローカル・ディミングが可能であれば、バックライト６０の発光面６２のなかで、前記装飾用画像表示領域２２ａに対応する部分のみから所望の明るさの光が発光されるようにすることができるためである。
【０１６８】
（テレビジョン受像機）
また、前記液晶表示装置２０は、単独でモニター等として用いることができるとともに、例えばチューナー部分などのテレビジョン放送受信のために必要な部品と組み合わせて、テレビジョン受像機として構成することもできる。
【０１６９】
本発明は前記した実施の形態に限定されるものではなく、請求項に示した範囲で種々の変更が可能である。すなわち、請求項に示した範囲で適宜変更した技術的手段を組み合わせて得られる実施の形態についても本発明の技術的範囲に含まれる。
【産業上の利用可能性】
【０１７０】
絵画などの装飾用画像を本物らしく表示することができるので、例えば、インテリアの一部として美観が要求される大画面の液晶表示装置やテレビジョン受像機などに好適に利用可能である。
【符号の説明】
【０１７１】
２０    液晶表示装置
２２    画面
２２ａ  装飾用画像表示領域
３０    液晶モジュール
４０    液晶表示パネル
４２    表示面
４４    走査線駆動回路
４６    信号線駆動回路
５０    バックライトユニット
６０    バックライト
６２    発光面
６４    バックライト駆動回路
７０    センサー・制御部
８０    画像データ算出部
８２    液晶モジュール制御部
８４    バックライトユニット制御部
９０    画像データ入力部
９２    入力画像記憶部
１００    表示モード切り換え操作部
１１０    外光輝度センサー部
１１２    外光輝度読み取り・記憶部
【図１】
2010024053.tif 000003
【図２】
2010024053.tif 000004
【図３】
2010024053.tif 000005
【図４】
2010024053.tif 000006
【図５】
2010024053.tif 000007
【図６】
2010024053.tif 000008
【図７】
2010024053.tif 000009
【手続補正書】
【提出日】平成22年12月9日(2010.12.9)
【手続補正２】
【補正対象書類名】特許請求の範囲
【補正対象項目名】全文
【補正方法】変更
【補正の内容】
【特許請求の範囲】
【請求項１】
画像を表示する画面を有する画像表示装置において、
前記画面に装飾用画像を表示するとき、その画面の輝度が、５０ｃｄ／ｍ２以下であり、
前記画像表示装置は、バックライトと液晶表示部を備える液晶表示装置であって、
前記液晶表示部の背後には、バックライトが設けられており、
前記液晶表示部に装飾用画像を表示するとき、前記バックライトの輝度が、１５００ｃｄ／ｍ２以下であることを特徴とする画像表示装置。
【請求項２】
前記画面に装飾用画像を表示するとき、その画面の輝度が、３０ｃｄ／ｍ２以下であることを特徴とする請求項１に記載の画像表示装置。
【請求項３】
前記バックライトは、その発光面内において輝度を異ならせることができるように構成されていることを特徴とする請求項１又は２に記載の画像表示装置。
【請求項４】
前記画面の一部分に上記装飾用画像が表示され、
上記画面の中で上記装飾用画像が表示されている領域の画面の輝度と、上記画面の中で上記装飾用画像が表示されていない領域の画面の輝度とが、
上記バックライトにおける上記各領域に対応する上記発光面の輝度を異ならせることで、相違していることを特徴とする請求項３に記載の画像表示装置。
【請求項５】
前記バックライトには、バックライトの輝度を制御するバックライトユニット制御部が接続されており、
前記バックライトユニット制御部には、外光輝度センサー部が接続されており、
前記外光輝度センサー部がセンシングした外光輝度に応じて、前記バックライトユニット制御部がバックライトの輝度を制御することで、前記画面の輝度が制御されていることを特徴とする請求項１から４のいずれか１項に記載の画像表示装置。
【請求項６】
前記外光輝度センサー部がセンシングした外光輝度が１００ｃｄ／ｍ２以下のとき、
前記バックライトユニット制御部は、画面の輝度が３０ｃｄ／ｍ２以下となるように、バックライトの輝度を制御することを特徴とする請求項５に記載の画像表示装置。
【請求項７】
前記バックライトには光源が備えられており、
前記光源にＬＥＤが用いられていることを特徴とする請求項１から６のいずれか１項に記載の画像表示装置。
【国際調査報告】
2010024053.tif 000010
2010024053.tif 000011
2010024053.tif 000012
2010024053.tif 000013